(57)【要約】【課題】作業面及びコスト面の両方において有利な商品包装袋を提供する。【解決手段】表裏のフィルム１，２の上方に開口部を有する袋本体３と、袋本体３の開口部３Ａの縁から延出された合成樹脂製のフラップ４と、フラップ４を開口部３Ａを閉じる方向に折り曲げて袋本体３に重ね合わせた状態でフラップ４と袋本体３とに亘って貼り付けることで開口部３Ａを封緘するための封緘シール５と、を備え、封緘シール５が、基材７と、基材７の表裏両面のうちの一方の面に形成される剥離可能でかつ再貼着可能な粘着剤層８と、を備え、基材７の一端部が粘着剤層８によりフラップ４の縁部に貼り付けられており、基材７のフラップ４から食み出した他端部の粘着剤層８及びフラップ４の端から僅かに一端部側に入り込んだフラップ側の粘着剤層８を覆うための離型材９を備えている。【選択図】図３
2019142533.tif 000002
【特許請求の範囲】
【請求項１】
合成樹脂製の表裏のフィルムの上方に開口部を有する袋本体と、該袋本体の開口部の縁から延出された合成樹脂製のフラップと、前記フラップを前記開口部を閉じる方向に折り曲げて前記袋本体に重ね合わせた状態で該フラップと該袋本体とに亘って貼り付けることで該開口部を封緘するための封緘シールと、を備え、
前記封緘シールが、基材と、該基材の表裏両面のうちの一方の面に形成される剥離可能でかつ再貼着可能な粘着剤層と、を備え、
前記基材の一端部が、前記粘着剤層により前記フラップの端縁部に貼り付けられており、
前記基材の前記フラップから食み出した他端部の粘着剤層及び該フラップの端縁から僅かに一端部側に入り込んだフラップ側の粘着剤層を覆うための離型材を備え、
前記離型材のフラップ側部分が、前記基材と前記フラップとの間に挟まれた状態で保持されていることを特徴とする商品包装袋。
【請求項２】
前記基材の他端部の端縁には、前記粘着剤層を備えていないことを特徴とする請求項１に記載の商品包装袋。
【請求項３】
前記基材が略長方形状であり、該基材の短辺方向の幅が親指の幅と略同一の大きさに構成されていることを特徴とする請求項１又は２に記載の商品包装袋。
【請求項４】
前記フラップの左右方向略中央部に前記封緘シールを備え、前記フラップの左右両端の角部が斜めにカットされていることを特徴とする請求項３に記載の商品包装袋。
【請求項５】
前記基材の厚みが、７０μｍ〜９０μｍの範囲であり、前記基材に備える粘着剤層が、アクリル系粘着剤から構成され、該粘着剤層の粘着力が、ＪＩＳＺ０２３７に準処する試験で測定した場合、０．３Ｎ／１０ｍｍ〜０．５Ｎ／１０ｍｍの範囲であることを特徴とする請求項１〜４のうちのいずれか１項に記載の商品包装袋。
【請求項６】
前記粘着剤層が貼り付けられるフィルムの表面及びフラップの表面をコロナ放電処理することによって、該フィルムの表面及び該フラップの表面に凹凸を形成していることを特徴とする請求項１〜５のうちのいずれか１項に記載の商品包装袋。
【発明の詳細な説明】
【技術分野】
【０００１】
本発明は、例えばみかん、リンゴ、ぶどう、いちご、パパイヤ、マンゴー、キウイ、桃を含む果実や各種の野菜を収納して店頭に展示するための商品包装袋に関する。
【背景技術】
【０００２】
上記商品包装袋としては、合成樹脂製の表裏のフィルムからなり、上方に開口部を有する袋本体と、袋本体を構成する一方のフィルムの上端部に一端部が溶着により連結された上方へ延びるヘッダーフィルムと、を備えたものが提案されている。そして、前記袋本体の中に果実を入れてから、ヘッダーフィルムを開口部を閉じる方向に折り曲げて他方のフィルムの上端部に重ね合わせ、ヘッダーフィルムの他端部と他方のフィルムの上端部に溶着により連結することによって開口部をヘッダーフィルムで閉じている（例えば特許文献１参照）。
【先行技術文献】
【特許文献】
【０００３】
【特許文献１】実用新案登録第３０５７２７５号公報
【発明の概要】
【発明が解決しようとする課題】
【０００４】
一般的には、上記特許文献１の商品包装袋に生産者側で果実を入れて閉じてから、所定数の商品包装袋を箱詰めし、その箱を販売する店までトラック等で運搬した後、店の店員が店頭に並べることになる。商品包装袋に収納された果実の中には、運搬中の振動等の影響を受けて傷んだ果実が発生することがある。そして、店員が店頭に並べているときや並べる前に、傷んだ果実を発見すると、商品包装袋を破って、傷んだ果実を傷んでない果実に取り換えると共に新しい商品収納袋に所定数の果実を収納してから、前述のようにヘッダーフィルムの他端部と他方のフィルムの上端部とを溶着により連結しなければならず、手間がかかるだけでなく、新しい商品収納袋を用意しなければならないことから、コスト面においても不利になっていた。
【０００５】
又、店によっては、商品包装袋に収納された果実全てが、傷んでいるかどうかを点検するために、全ての商品包装袋を一々破って全ての果実の状態を確認し、良好な果実のみを新しい商品収納袋に収納してから、前述のようにヘッダーフィルムの他端部と他方のフィルムの上端部とを溶着により連結しなければならず、非常に手間がかかるだけでなく、新しい商品収納袋を多数用意しなければならないことから、コスト面においても非常に不利になり、改善の余地があった。
【０００６】
本発明が前述の状況に鑑み、解決しようとするところは、作業面及びコスト面の両方において有利な商品包装袋を提供することにある。
【課題を解決するための手段】
【０００７】
本発明の商品包装袋は、前述の課題解決のために、合成樹脂製の表裏のフィルムの上方に開口部を有する袋本体と、該袋本体の開口部の縁から延出された合成樹脂製のフラップと、前記フラップを前記開口部を閉じる方向に折り曲げて前記袋本体に重ね合わせた状態で該フラップと該袋本体とに亘って貼り付けることで該開口部を封緘するための封緘シールと、を備え、前記封緘シールが、基材と、該基材の表裏両面のうちの一方の面に形成される剥離可能でかつ再貼着可能な粘着剤層と、を備え、前記基材の一端部が、前記粘着剤層により前記フラップの端縁部に貼り付けられており、前記基材の前記フラップから食み出した他端部の粘着剤層及び該フラップの端縁から僅かに一端部側に入り込んだフラップ側の粘着剤層を覆うための離型材を備え、前記離型材のフラップ側部分が、前記基材と前記フラップとの間に挟まれた状態で保持されていることを特徴としている。
【０００８】
かかる構成によれば、袋本体内に果実を入れた後、離型材を取り外してから、フラップを開口部を閉じる方向に折り曲げて袋本体に重ね合わせた状態で封緘シールの粘着剤層を袋本体に貼り付けることによって、開口部を封緘シールで閉じる。この閉じた商品包装袋の所定数を箱詰めし、その箱を販売する店までトラック等で運搬した後、店の店員が店頭に並べるときや並べる前に商品包装袋に収納されている果実を検品し、傷んだ果実が有る場合には、傷んだ果実を新しい果実に取り換える。そして、再度商品包装袋の中に果実を収納し、フラップを開口部を閉じる方向に折り曲げて封緘シールの再貼着可能な粘着剤層で再度貼り付けて開口部を閉じることができる。従って、新たな商品包装袋が不要になるだけでなく、封緘シールを袋本体に貼り付けるだけの簡単な操作で袋本体の開口部を閉じることができる。また、粘着剤層を覆っている離型材のフラップ側部分が、基材とフラップとの間に挟まれた状態で保持されているので、商品包装袋を移動している時に、離型材のフラップ側部分が他物に当たって不測に剥がれてしまうことがない。よって、粘着剤層を離型材で常時保護することができる。
【０００９】
また、本発明の商品包装袋は、前記基材の他端部の端縁には、前記粘着剤層を備えていないことが好ましい。
【００１０】
上記構成によれば、基材の粘着剤層を備えていない他端部の端縁を捲り易く、封緘シールの剥がし作業をより一層容易に行うことができる。
【００１１】
また、本発明の商品包装袋は、前記基材が略長方形状であり、該基材の短辺方向の幅が親指の幅と略同一の大きさに構成されていることが好ましい。
【００１２】
上記構成によれば、基材が略長方形状でかつ基材の短辺方向の幅が親指の幅と略同一の大きさに構成されているので、基材を片手で容易に操作することができる。よって、基材の貼り付け作業及び離型材の剥がし作業を容易に行うことができる。
【００１３】
また、本発明の商品包装袋は、前記フラップの左右方向略中央部に前記封緘シールを備え、前記フラップの左右両端の角部が斜めにカットされていることが好ましい。
【００１４】
上記構成によれば、フラップの左右両端の角部が斜めにカットされているので、開口部を閉じた状態のフラップの左右両端部が袋本体の左右両端から左右方向外側に食み出すことがない。
【００１５】
また、本発明の商品包装袋は、前記基材の厚みが、７０μｍ〜９０μｍの範囲であり、前記基材に備える粘着剤層が、アクリル系粘着剤から構成され、該粘着剤層の粘着力が、ＪＩＳＺ０２３７に準処する試験で測定した場合、０．３Ｎ／１０ｍｍ〜０．５Ｎ／１０ｍｍの範囲であることが好ましい。
【００１６】
上記構成のように、基材の厚み及び粘着剤層の粘着力を設定することによって、基材が袋本体から不測に剥がれることがなく、しかも剥がし難いといったこともない。よって、使用面において有利な基材に構成することができる。
【００１７】
また、本発明の商品包装袋は、前記粘着剤層が貼り付けられるフィルムの表面及びフラップの表面をコロナ放電処理することによって、該フィルムの表面及び該フラップの表面に凹凸を形成していることが好ましい。
【００１８】
上記構成によれば、フィルムの表面及びフラップの表面に凹凸が形成されているので、フィルム及びフラップの表面と粘着剤との接触面積を増大させて粘着剤の粘着力を大きく（強く）することができる。
【発明の効果】
【００１９】
本発明によれば、封緘シールが、基材と、基材の表裏両面のうちの一方の面に形成される剥離可能でかつ再貼着可能な粘着剤層と、を備えることによって、作業面及びコスト面の両方において有利な商品包装袋を提供することができる。また、粘着剤層を覆っている離型材のフラップ側部分が、基材とフラップとの間に挟まれた状態で保持されているので、粘着剤層を離型材で常時保護することができる。
【図面の簡単な説明】
【００２０】
【図１】本発明の商品包装袋の正面図である。
【図２】同商品包装袋の正面図であり、フラップを閉じて封緘シールで貼り付けた状態を示している。
【図３】同商品包装袋の上端部の断面図である。
【図４】同商品包装袋の上端部の断面図を示し、みかんを収納した状態でフラップを閉じて封緘シールで貼り付けた状態を示している。
【図５】他の商品包装袋の正面図であり、フラップを閉じて封緘シールで貼り付けた状態を示している。
【発明を実施するための形態】
【００２１】
以下、本発明に係る商品包装袋の実施形態について、図面を参照しつつ説明する。商品包装袋は、図１〜図３に示すように、合成樹脂製の表裏のフィルム１，２の上方に開口部３Ａを有する袋本体３と、袋本体３の開口部３Ａの縁、つまり表側のフィルム１の上端から上方へ延出された合成樹脂製のフラップ４と、フラップ４を開口部３Ａを閉じる方向に折り曲げて袋本体３に重ね合わせた状態でフラップ４と袋本体３（ここでは裏側のフィルム２）とに亘って貼り付けることで開口部３Ａを封緘するための封緘シール５と、を備えている。尚、袋本体３に開口部３Ａを通して収納するものとしては、図４に示すみかんＭの他、リンゴ、ぶどう、いちご、パパイヤ、マンゴー、キウイ、桃を含む各種の果実の他、各種の野菜であってもよい。
【００２２】
表側のフィルム１及び裏側のフィルム２は、縦長で長方形状の同一形状のフィルムから構成され、フィルム１，２の同一箇所に多数（図１では６個）の円形の貫通孔Ｈが形成されている。また、表裏のフィルム１，２の底辺部（下端部）には、水平方向に広がって底面部を構成するためのガゼット構造６を備えている。
【００２３】
フラップ４は、それの左右両端の角部が斜めにカットされている。従って、フラップ４を閉じた状態において逆台形状となるため、袋本体３に果実や野菜を収容した時に、開口部３Ａを閉じた状態のフラップ４の左右両端部４Ａ，４Ｂが袋本体３の左右両端から左右方向外側に食み出すことがない。
【００２４】
封緘シール５は、基材７と、基材７の表裏両面のうちの一方の面に形成される剥離可能でかつ再貼着可能なアクリル系粘着剤でなる粘着剤層８と、を備えている。基材７の一端部は、粘着剤層８によりフラップ４の表側のフィルム１の表面側と同一側で、かつ、フラップ４の左右方向略中央部の端縁部（図１では表側のフィルム１から離れる上端縁部）に貼り付けられており、基材７のフラップ４から食み出した他端部の粘着剤層８及びフラップ４の端縁から僅かに一端部側に入り込んだフラップ側の粘着剤層８を覆うための離型材９を備えている。そして、図３に示すように、粘着剤層８を覆っている離型材９のフラップ側部分９Ａが、基材７とフラップ４との間に挟まれた状態で保持されている。従って、商品包装袋を移動している時に、離型材９のフラップ側部分９Ａが他物に当たって不測に剥がれてしまうことがない。よって、粘着剤層８を離型材９で常時保護することができる。尚、離型材９は、グラシン紙から構成してもよいし、各種の合成樹脂フィルムから構成することができる。
【００２５】
また、基材７の他端部の端縁には、粘着剤を備えていない部分７Ａ（図１の斜線の領域）を備えている。このように構成していることによって、基材７の粘着剤を備えていない他端部の端縁７Ｔを捲り易く、封緘シール５の剥がし作業をより一層容易に行うことができる。
【００２６】
また、粘着剤層８が貼り付けられる裏側のフィルム２の表面（ここでは表面全域であるが、粘着剤層が貼り付けられる部分だけでもよい）及びフラップ４の表面をコロナ放電処理することによって、裏側のフィルム２の表面及びフラップ４の表面に凹凸を形成している。このように、裏側のフィルム２の表面及びフラップ４の表面に凹凸が形成されているので、フィルム２及びフラップ４と粘着剤層８との接触面積を増大させて粘着剤の粘着力を大きくすることができる。
【００２７】
基材７は、縦長で略長方形状である。基材７の４つの角部は、角の取れた円弧形状に構成されている。また、基材７の短辺方向の幅が親指の幅と略同一の大きさ（具体的には２．２ｃｍであるが、２ｃｍ〜２．５ｃｍの範囲が好ましい）に構成されている。従って、幅が親指の幅と略同一の大きさに構成されている基材７を、片手で容易に操作することができる。よって、基材７の貼り付け作業及び離型材９の剥がし作業を容易に行うことができる。
【００２８】
基材７の厚みが、７０μｍ〜９０μｍの範囲であり、粘着剤層８の粘着力が、ＪＩＳＺ０２３７に準処する試験で測定した場合、０．３Ｎ／１０ｍｍ〜０．５Ｎ／１０ｍｍの範囲である。このように、基材７の厚み及び粘着剤層８の粘着力を設定することによって、基材７が袋本体３から不測に剥がれることがなく、しかも剥がし難いといったこともない。よって、使用面において有利な基材７に構成することができる。
【００２９】
基材７の厚みが、７０μｍ未満になると、変形し易く強度面において弱くなるため、基材７の厚みを７０μｍ以上に設定した。また、基材７の厚みが、９０μｍを越えると、基材７が硬くなり、フィルム１，２の表面に沿い難くなるため、基材７の厚みを９０μｍ以下に設定した。
【００３０】
また、粘着剤層８の粘着力についての実験を行い、その実験結果に基づいて粘着剤層８の粘着力を設定した。つまり、粘着剤層８の粘着力が０．３Ｎ／１０ｍｍ未満になると、店頭に並べている状況において４，５時間で一部の封緘シール５が剥がれてしまうことがあり、粘着剤層８の粘着力を０．３Ｎ／１０ｍｍ以上に設定すると、店頭に並べている状況において４，５時間で封緘シール５が剥がれることがなかったため、粘着剤層８の粘着力を０．３Ｎ／１０ｍｍ以上に設定した。また、粘着剤層８の粘着力が０．５Ｎ／１０ｍｍを越えると、非力な方では、封緘シール５を何度も引き剥がす作業において、やり難いとの声があり、粘着剤層８の粘着力を０．５Ｎ／１０ｍｍ以下にすることによって、誰でも剥がす作業を容易に行え、粘着剤層８の粘着力を０．５Ｎ／１０ｍｍ以下に設定した。ここでは、アクリル系粘着剤で粘着剤層８を構成しているが、粘着剤層８の粘着力が、ＪＩＳＺ０２３７に準処する試験で測定した場合、０．３Ｎ／１０ｍｍ〜０．５Ｎ／１０ｍｍの範囲で設定できるものであれば、各種の粘着剤を用いることができる。
【００３１】
尚、ＪＩＳＺ０２３７に準処する試験は、試験片である前記封緘シール５をステンレス板からなる試験板に貼りつけ、試験板から１８０°（または９０°）方向に引き剥がすのに要する力を測定する試験である。
【００３２】
以上のように構成された、袋本体３内に果実を入れた後、離型材９を取り外してから、フラップ４を開口部３Ａを閉じる方向に折り曲げて袋本体３に重ね合わせた状態で封緘シール５の他端側の粘着剤層８を袋本体３に貼り付けることによって、開口部３Ａを封緘シール５で閉じる。この閉じた商品包装袋の所定数を箱詰めし、その箱を販売する店までトラック等で運搬した後、店の店員が店頭に並べるときや並べる前に商品包装袋に収納されている果実を検品し、傷んだ果実が有る場合には、傷んだ果実を新しい果実に取り換える。そして、再度商品包装袋の中に果実を収納し、フラップ４を開口部３Ａを閉じる方向に折り曲げて封緘シール５の再貼着可能な粘着剤層８で再度貼り付けて開口部３Ａを閉じることができる。従って、新たな商品包装袋が不要になるだけでなく、封緘シール５を袋本体３に貼り付けるだけの簡単な操作で袋本体３の開口部３Ａを閉じることができる。また、粘着剤層８を覆っている離型材９のフラップ側部分９Ａが、基材７とフラップ４との間に挟まれた状態で保持されているので、商品包装袋を移動している時に、離型材９のフラップ側部分９Ａが他物に当たって不測に剥がれてしまうことがない。よって、粘着剤層を離型材で常時保護することができる。
【００３３】
尚、本発明は、前記実施形態に限定されるものではなく、本発明の要旨を逸脱しない範囲で種々の変更が可能である。
【００３４】
例えば、図１に示した封緘シール５を、図５に示す封緘シール５０であってもよい。図５の封緘シール５０は、図１の封緘シール５に比べて縦寸法及び横寸法のいずれも大きくしたものである。具体的には、縦寸法を図１の封緘シール５の約１．６倍にし、横寸法を図１の封緘シール５の約２倍にしている。図５に示す斜線部分７０Ａの裏面には、粘着剤層がない部分であり、前述同様に、基材７０の粘着剤層を備えていない他端部の端縁７０Ｔを捲り易く、封緘シール５０の剥がし作業をより一層容易に行うことができる利点がある。図５における袋本体３、フラップ４の構成は、図１のものと同一であり、同一の符号を付している。異なる部分は、図５においてフラップ４を前方に折り曲げて裏側のフィルム２の表面に重ね合わせているところである。そして、封緘シール５０が、図１の封緘シール５に比べて大きなサイズになったため、その封緘シール５０を、収容した内容物（図５ではみかん）に関する表示シートとして利用することができる。図５では、○○県産のＳサイズのみかんを購入者に分かるような記載になっている。これによって、封緘シール５０の表示を変更するだけで、同一の商品包装袋を用いることができる。
【００３５】
また、前記実施形態では、ガゼット構造６を備える商品包装袋としたが、ガゼット構造６のない商品包装袋であってもよい。
【００３６】
また、前記実施形態では、縦長状で長方形状の商品包装袋としたが、正方形状又は逆台形状等、どのような形状の商品包装袋であってもよい。
【００３７】
また、前記実施形態では、基材７の他端部の端縁には、粘着剤層を備えていない構成としたが、基材７の全面に粘着剤層を備えている構成であってもよい。
【００３８】
また、前記実施形態では、粘着剤層８が貼り付けられるフィルム２の表面及びフラップ４の表面をコロナ放電処理したが、コロナ放電処理をしないフィルム２及びフラップ４であってもよい。
【符号の説明】
【００３９】
１…表側のフィルム、２…裏側のフィルム、３…袋本体、３Ａ…開口部、４…フラップ、４Ａ，４Ｂ…左右両端部、５…封緘シール、６…ガゼット構造、７…基材、７Ａ…斜線部分、７Ｔ…端縁、８…粘着剤層、９…離型材、９Ａ…フラップ側部分、５０…封緘シール、７０…基材、７０Ａ…斜線部分、７０Ｔ…端縁、Ｈ…貫通孔、Ｍ…みかん
【図１】
2019142533.tif 000003
【図２】
2019142533.tif 000004
【図３】
2019142533.tif 000005
【図４】
2019142533.tif 000006
【図５】
2019142533.tif 000007